(57)【要約】【課題】ステアリングホイールの切り戻し操作時において、前輪と後輪とのトルク配分比を制御することで、車両のオーバーステア傾向を適切に抑制する。【解決手段】車両システムは、車両１を駆動するためのエンジン４と、主駆動輪である後輪２ｂ及び補助駆動輪である前輪２ａと、エンジン４のトルクを前輪２ａと後輪２ｂとに配分する電磁カップリング５ｅと、ドライバにより操作されるステアリングホイール６と、電磁カップリング５ｅを制御するコントローラ５０と、を有し、コントローラ５０は、ステアリングホイール６が切り戻し操作されたときに、操舵に応じて車両１に発生させるべき目標ヨーレートと、車両１に実際に発生している実ヨーレートとの差に関連するヨーレート差関連値が第１所定値以上である場合に、後輪２ｂに配分されるトルクを減少させるよう電磁カップリング５ｅを制御する。【選択図】図９
2020175837.tif 000002
【特許請求の範囲】
【請求項１】
車両システムであって、
車両を駆動するためのトルクを生成する動力源と、
主駆動輪である後輪及び補助駆動輪である前輪を含む車輪と、
前記動力源のトルクを前記前輪と前記後輪とに配分するトルク配分機構と、
ドライバにより操作されるステアリングホイールと、
少なくとも前記トルク配分機構を制御する制御器と、を有し、
前記制御器は、前記ステアリングホイールが切り戻し操作されたときにおいて、このステアリングホイールの操舵に応じて前記車両に発生させるべき目標ヨーレートと、前記車両に実際に発生している実ヨーレートとの差に関連するヨーレート差関連値が第１所定値以上である場合に、前記動力源のトルクのうちで前記後輪に配分されるトルクを減少させるように前記トルク配分機構を制御するよう構成されている、
ことを特徴とする車両システム。
【請求項２】
前記車輪に制動力を付与するブレーキ装置を更に有し、
前記制御器は、前記ヨーレート差関連値が前記第１所定値よりも大きい第２所定値以上である場合には、前記実ヨーレートとは逆回りのヨーモーメントを前記車両に付加するように前記ブレーキ装置を制御するよう構成されている、
請求項１に記載の車両システム。
【請求項３】
前記制御器は、前記ヨーレート差関連値が前記第２所定値よりも大きい第３所定値以上である場合には、前記ヨーレート差関連値が前記第２所定値よりも大きく且つ前記第３所定値未満である場合よりも大きな前記ヨーモーメントを前記車両に付加するように前記ブレーキ装置を制御するよう構成されている、
請求項２に記載の車両システム。
【請求項４】
前記制御器は、
前記ステアリングホイールが切り込み操作されたときに、前記後輪に配分されるトルクを増加させるように前記トルク配分機構を制御し、この後に前記ステアリングホイールが切り戻し操作されたときに、前記後輪に配分されるトルクを減少させるように前記トルク配分機構を制御し、
前記ステアリングホイールが切り戻し操作されたときにおいて、前記ヨーレート差関連値が前記第１所定値以上である場合には、前記ヨーレート差関連値が前記第１所定値未満である場合よりも、前記後輪に配分されるトルクの減少量を大きくするように前記トルク配分機構を制御するよう構成されている、
請求項１乃至３のいずれか一項に記載の車両システム。
【請求項５】
前記ヨーレート差関連値は、前記目標ヨーレートと前記実ヨーレートとの差の変化速度、及び／又は前記目標ヨーレートと前記実ヨーレートとの差である、請求項１乃至４のいずれか一項に記載の車両システム。
【発明の詳細な説明】
【技術分野】
【０００１】
本発明は、動力源のトルクを前輪と後輪とに配分するよう構成された車両の姿勢を制御する車両システムに関する。
【背景技術】
【０００２】
従来、スリップ等により車両の挙動が不安定になった場合に安全方向に車両の挙動を制御するもの（横滑り防止装置等）が知られている。具体的には、車両のコーナリング時等に、車両にアンダーステアやオーバーステアの挙動が生じたことを検出し、それらを抑制するように車輪に適切な減速度を付与するようにしたものが知られている。
【０００３】
また、上述したような車両の挙動が不安定になるような走行状態における安全性向上のための制御とは異なり、日常運転領域から稼動するハンドル操作に連係した加減速を自動的に行い、限界運転領域で横滑りを低減させるようにした車両の運動制御装置が知られている（例えば、特許文献１参照）。特に、この特許文献１には、車両の前後方向の加減速を制御する第１のモードと、車両のヨーモーメントを制御する第２のモードと、を備えた車両の運動制御装置が開示されている。
【先行技術文献】
【特許文献】
【０００４】
【特許文献１】特許５１４３１０３号公報
【発明の概要】
【発明が解決しようとする課題】
【０００５】
特許文献１に開示された技術では、第２のモードにおいて、ヨーモーメントを車両に付加している。このヨーモーメントを車両に付加する制御は、典型的にはステアリングホイール（以下では単に「ステアリング」とも表記する。）が切り戻し操作されるときに実行される。すなわち、ステアリングが切り戻し操作されたときに、車両の旋回を抑えるべく、換言すると車両の直進方向への復帰を促進させるべく、車両に発生しているヨーレートとは逆回りのヨーモーメントが付加されるように、ブレーキ装置により旋回外輪に制動力が付与される。
【０００６】
ところで、後輪が主駆動輪である車両においては、ステアリングが切り戻し操作されたときにアクセルペダルが踏み込まれると、旋回中に後輪にトルクが付加されることで、後輪がスリップする場合がある。その結果、車両がオーバーステア傾向になる。このようなオーバーステア傾向が生じた場合、上記の特許文献１に記載されたような、旋回外輪に制動力を付与して車両にヨーモーメントを付加する制御では、車両のオーバーステア傾向を十分に抑制するのが困難であった。
【０００７】
本発明は、上述した従来技術の問題点を解決するためになされたものであり、ステアリングホイールの切り戻し操作時において、前輪と後輪とのトルク配分比を制御することで、車両のオーバーステア傾向を適切に抑制することができる車両システムを提供することを目的とする。
【課題を解決するための手段】
【０００８】
上記の目的を達成するために、本発明は、車両システムであって、車両を駆動するためのトルクを生成する動力源と、主駆動輪である後輪及び補助駆動輪である前輪を含む車輪と、動力源のトルクを前輪と後輪とに配分するトルク配分機構と、ドライバにより操作されるステアリングホイールと、少なくともトルク配分機構を制御する制御器と、を有し、制御器は、ステアリングホイールが切り戻し操作されたときにおいて、このステアリングホイールの操舵に応じて車両に発生させるべき目標ヨーレートと、車両に実際に発生している実ヨーレートとの差に関連するヨーレート差関連値が第１所定値以上である場合に、動力源のトルクのうちで後輪に配分されるトルクを減少させるようにトルク配分機構を制御するよう構成されている、ことを特徴とする。
【０００９】
このように構成された本発明では、制御器は、ステアリングホイールが切り戻し操作されたときにおいて、目標ヨーレートと実ヨーレートとの差に関連するヨーレート差関連値が第１所定値以上である場合に、主駆動輪である後輪に配分されるトルクを減少させるようにトルク配分機構を制御する。これにより、ステアリングホイールの切り戻し操作時において、例えばアクセルペダルが踏み込まれた場合にも、後輪のトルクを的確に減少させることで、後輪がスリップすることを抑制できる。その結果、車両の旋回中にステアリングホイールが切り戻し操作されたときに、車両がオーバーステア傾向になることを未然に抑制することができ、車両姿勢の安定化を適切に実現することができる。
【００１０】
本発明において、好ましくは、車輪に制動力を付与するブレーキ装置を更に有し、制御器は、ヨーレート差関連値が第１所定値よりも大きい第２所定値以上である場合には、実ヨーレートとは逆回りのヨーモーメントを車両に付加するようにブレーキ装置を制御するよう構成されている。
このように構成された本発明によれば、制御器は、ヨーレート差関連値が第２所定値（＞第１所定値）以上である場合には、上述したようにトルク配分機構により後輪に配分されるトルクを減少させる制御に加えて、実ヨーレートとは逆回りのヨーモーメントを車両に付加する制御を行う。これにより、車両がオーバーステア傾向になることを効果的に抑制できると共に、旋回からの復帰性能を効果的に向上させることができる。
【００１１】
本発明において、好ましくは、制御器は、ヨーレート差関連値が第２所定値よりも大きい第３所定値以上である場合には、ヨーレート差関連値が第２所定値よりも大きく且つ第３所定値未満である場合よりも大きなヨーモーメントを車両に付加するようにブレーキ装置を制御するよう構成されている。
このように構成された本発明によれば、制御器は、ヨーレート差関連値が第３所定値（＞第２所定値）以上である場合には、比較的大きなヨーモーメントを車両に付加する制御を行う。すなわち、制御器は、ヨーレート差関連値が第１所定値以上になって後輪に配分されるトルクを減少させる制御を行い、ヨーレート差関連値が第２所定値以上になってヨーモーメントを車両に付加する制御を行っても、車両の横滑りが発生している場合には、比較的大きなヨーモーメントを車両に付加する制御を行う。これにより、車両の横滑りを確実に防止することができる。
【００１２】
本発明において、好ましくは、制御器は、ステアリングホイールが切り込み操作されたときに、後輪に配分されるトルクを増加させるようにトルク配分機構を制御し、この後にステアリングホイールが切り戻し操作されたときに、後輪に配分されるトルクを減少させるようにトルク配分機構を制御し、ステアリングホイールが切り戻し操作されたときにおいて、ヨーレート差関連値が第１所定値以上である場合には、ヨーレート差関連値が第１所定値未満である場合よりも、後輪に配分されるトルクの減少量を大きくするようにトルク配分機構を制御するよう構成されている。
このように構成された本発明によれば、制御器は、ステアリングホイールの切り込み操作時に、後輪に配分されるトルクを増加させて、前傾方向のピッチングを車体に生成させるので、ターンイン時にドライバに応答感を与えることができると共に、ステアリングホイールの切り込み操作に対する車両の旋回応答性を向上させることができる。この後、制御器は、ステアリングホイールの切り戻し操作時に、後輪に配分されるトルクを減少させて、後傾方向のピッチングを車体に生成させるので、ターンアウト時にドライバに安定感を与えることができると共に、旋回からの復帰性能を向上させることができる。
更に、制御器は、上記のようにステアリングホイールの切り戻し操作時に後輪に配分されるトルクを減少させるに当たって、ヨーレート差関連値が第１所定値以上である場合には第１所定値未満である場合よりも、後輪に配分されるトルクの減少量を大きくするので、車両がオーバーステア傾向になることを効果的に抑制することができる。
【００１３】
本発明において、好ましくは、ヨーレート差関連値は、目標ヨーレートと実ヨーレートとの差の変化速度、及び／又は目標ヨーレートと実ヨーレートとの差である。
【発明の効果】
【００１４】
本発明の車両システムによれば、ステアリングホイールの切り戻し操作時において、前輪と後輪とのトルク配分比を制御することで、車両のオーバーステア傾向を適切に抑制することができる。
【図面の簡単な説明】
【００１５】
【図１】本発明の実施形態による車両システムが適用された車両の全体構成を示すブロック図である。
【図２】本発明の実施形態による車両システムの電気的構成を示すブロック図である。
【図３】本発明の実施形態によるトルク配分比の基本的設定手法についての説明図である。
【図４】後輪の配分トルクを増加又は減少させたときに車両に生成されるピッチングについての説明図である。
【図５】本発明の実施形態による全体制御を示すフローチャートである。
【図６】本発明の実施形態による低減トルク設定処理を示すフローチャートである。
【図７】本発明の実施形態による付加減速度と操舵速度との関係を示すマップである。
【図８】本発明の実施形態による目標ヨーモーメント設定処理を示すフローチャートである。
【図９】本発明の実施形態によるトルク配分設定処理を示すフローチャートである。
【図１０】本発明の実施形態による目標ヨーレート及び目標横加速度を設定するためのマップである。
【図１１】本発明の実施形態による第１ゲイン及び第２ゲインを設定するためのマップである。
【図１２】本発明の実施形態による横滑り防止制御処理を示すフローチャートである。
【図１３】本発明の実施形態による車両姿勢制御を実行した場合のタイムチャートの一例を示す。
【図１４】本発明の実施形態による車両姿勢制御を実行した場合のタイムチャートの別の例を示す。
【発明を実施するための形態】
【００１６】
以下、添付図面を参照して、本発明の実施形態による車両システムについて説明する。
【００１７】
＜システム構成＞
まず、本発明の実施形態による車両システムの構成について説明する。図１は、本発明の実施形態による車両システムが適用された車両の全体構成を示すブロック図である。
【００１８】
図１に示すように、車両１においては、操舵輪且つ補助駆動輪である左右の前輪２ａが車体前部に設けられ、主駆動輪である左右の後輪２ｂが車体後部に設けられている。これら車両１の前輪２ａ及び後輪２ｂは、車体に対してサスペンション３により夫々支持されている。また、車両１の車体前部には、主として後輪２ｂを駆動する動力源（原動機）であるエンジン４が搭載されている。本実施形態においては、エンジン４は、ガソリンエンジンであるが、動力源としてディーゼルエンジンなどの内燃機関や、電力により駆動されるモータを使用してもよい。
【００１９】
また、車両１は、フロントエンジン・リアドライブ方式（ＦＲ方式）をベースとした四輪駆動車である。具体的には、車両１は、エンジン４に連結されてエンジン出力を車輪に伝達するトランスミッション５ａを備えており、このトランスミッション５ａからはプロペラシャフト５ｂが延びており、このプロペラシャフト５ｂはディファレンシャルギア５ｃなどを介して後輪２ｂに連結されている。一方、前輪２ａは、トランスファー５ｄ及び電磁カップリング５ｅを介してプロペラシャフト５ｂに接続されている。より具体的には、前輪２ａとプロペラシャフト５ｂとは、これらトランスファー５ｄ及び電磁カップリング５ｅに加えて、駆動伝達シャフト５ｆ及びディファレンシャルギア５ｊを介して連結されている。
【００２０】
トランスファー５ｄは、プロペラシャフト５ｂのトルク（車両駆動力）を駆動伝達シャフト５ｆに分岐するための装置である。電磁カップリング５ｅは、駆動伝達シャフト５ｆとプロペラシャフト５ｂとを連結するカップリングであり、図示しない電磁コイルやカム機構やクラッチなどを有している。電磁カップリング５ｅは、駆動伝達シャフト５ｆとプロペラシャフト５ｂとを連結するカップリングであり、図示しない電磁コイルやカム機構やクラッチなども含み、本発明における「トルク配分機構」を構成する。電磁カップリング５ｅは、内部の電磁コイルに供給される電流に応じて、当該電磁カップリング５ｅにおける締結度合い（具体的には締結トルク）を可変に構成されている。このように締結度合いを変えることで、駆動伝達シャフト５ｆとプロペラシャフト５ｂとが連結された状態において、プロペラシャフト５ｂから駆動伝達シャフト５ｆに伝達されるトルク（つまり前輪２ａに伝達するトルク）を変えられるようになっている。すなわち、エンジン４の出力トルクのうちで前輪２ａに配分されるトルクと後輪２ｂに配分されるトルクとの比率であるトルク配分比が変更される。基本的には、電磁カップリング５ｅの締結度合いが高くなるほど、主駆動輪としての後輪２ｂに配分されるトルクが小さくなり、補助駆動輪としての前輪２ａに配分されるトルクが大きくなる。一方で、電磁カップリング５ｅの締結度合いが低くなるほど、主駆動輪としての後輪２ｂに配分されるトルクが大きくなり、補助駆動輪としての前輪２ａに配分されるトルクが小さくなる。
【００２１】
また、車両１には、ステアリングホイール（ステアリング）６などを含む操舵装置７が搭載されており、車両１の前輪２ａは、このステアリングホイール６の回転操作に基づいて操舵（転舵）されるようになっている。加えて、前輪２ａ及び後輪２ｂの各々には、車両１に制動力を付与するためのブレーキ装置２０ａが設けられている。
【００２２】
さらに、車両１は、操舵装置７の操舵角を検出する操舵角センサ８と、アクセルペダルの踏込量（アクセル開度）を検出するアクセル開度センサ１０と、車速を検出する車速センサ１２と、ヨーレートを検出するヨーレートセンサ１３と、加速度を検出する加速度センサ１４と、ブレーキペダルの踏込量を検出するブレーキ踏込量センサ１５と、を有する。操舵角センサ８は、典型的にはステアリングホイール６の回転角度を検出するが、当該回転角度に加えて又は当該回転角度の代わりに、前輪２ａの転舵角（タイヤ角）を検出してもよい。これらの各センサは、それぞれの検出信号をコントローラ５０に出力する。
【００２３】
次に、図２を参照して、本発明の実施形態による車両システムの電気的構成を説明する。図２は、本発明の実施形態による車両システムの電気的構成を示すブロック図である。
【００２４】
本実施形態によるコントローラ５０は、上述したセンサ８、１０、１２、１３、１４、１５の検出信号の他、エンジン４の運転状態などを検出する各種センサが出力した検出信号に基づいて、エンジン４のスロットルバルブ４ａ、インジェクタ（燃料噴射弁）４ｂ、点火プラグ４ｃ、及び可変動弁機構４ｄに対する制御を行うべく、制御信号を出力する。
【００２５】
また、コントローラ５０は、上述したブレーキ装置２０ａを含むブレーキ制御システム２０を制御する。ブレーキ制御システム２０は、ブレーキ装置２０ａのホイールシリンダやブレーキキャリパにブレーキ液圧を供給するシステムである。ブレーキ制御システム２０は、各車輪に設けられたブレーキ装置２０ａにおいて制動力を発生させるために必要なブレーキ液圧を生成する液圧ポンプ２０ｂを備えている。液圧ポンプ２０ｂは、例えばバッテリから供給される電力で駆動され、ブレーキペダルが踏み込まれていないときであっても、各ブレーキ装置２０ａにおいて制動力を発生させるために必要なブレーキ液圧を生成することが可能となっている。また、ブレーキ制御システム２０は、各車輪のブレーキ装置２０ａへの液圧供給ラインに設けられた、液圧ポンプ２０ｂから各車輪のブレーキ装置２０ａへ供給される液圧を制御するためのバルブユニット２０ｃ（具体的にはソレノイド弁）を備えている。例えば、バッテリからバルブユニット２０ｃへの電力供給量を調整することによりバルブユニット２０ｃの開度が変更される。また、ブレーキ制御システム２０は、液圧ポンプ２０ｂから各車輪のブレーキ装置２０ａへ供給される液圧を検出する液圧センサ２０ｄを備えている。液圧センサ２０ｄは、例えば各バルブユニット２０ｃとその下流側の液圧供給ラインとの接続部に配置され、各バルブユニット２０ｃの下流側の液圧を検出し、検出値をコントローラ５０に出力する。このようなブレーキ制御システム２０は、コントローラ５０から入力された制動力指令値や液圧センサ２０ｄの検出値に基づき、各車輪のホイールシリンダやブレーキキャリパのそれぞれに独立して供給する液圧を算出し、それらの液圧に応じて液圧ポンプ２０ｂの回転数やバルブユニット２０ｃの開度を制御する。
【００２６】
コントローラ５０は、図示しないＰＣＭ（Power-train Control Module）などを備えている。このコントローラ５０は、１つ以上のプロセッサ、当該プロセッサ上で解釈実行される各種のプログラム（ＯＳなどの基本制御プログラムや、ＯＳ上で起動され特定機能を実現するアプリケーションプログラムを含む）、及びプログラムや各種のデータを記憶するためのＲＯＭやＲＡＭの如き内部メモリを備えるコンピュータにより構成される。
【００２７】
また、コントローラ５０は、電磁カップリング５ｅに対する制御も行う。具体的には、コントローラ５０は、電磁カップリング５ｅに供給する印加電流を調整して、前輪２ａと後輪２ｂとのトルク配分比を制御する。
【００２８】
ここで、図３を参照して、本発明の実施形態においてトルク配分比を設定する基本的な手法について説明する。図３は、横軸にトルク配分比（具体的には「前輪２ａに配分するトルク：後輪２ｂに配分するトルク」）を示し、縦軸にエネルギー損失を示している。具体的には、グラフＥ１は、トルク配分比に対する後輪輪２ｂ（主駆動輪）のスリップによるエネルギー損失を示し、グラフＥ２は、トルク配分比に対する前輪２ａ（補助駆動輪）のスリップによるエネルギー損失を示し、グラフＥ３は、トルク配分比に対する、前輪２ａ（補助駆動輪）への動力伝達によるトルク伝達機構（電磁カップリング５ｅや駆動伝達シャフト５ｆやディファレンシャルギア５ｊなど）の機械損失に対応するエネルギー損失を示している。
【００２９】
グラフＥ１に示すように、トルク配分比が右に進むほど、つまり前輪２ａへのトルク配分量が多くなるにつれて、後輪２ｂのスリップによるエネルギー損失が減る。一方で、グラフＥ２に示すように、前輪２ａへのトルク配分量が多くなるにつれて、前輪２ａのスリップによるエネルギー損失が増え、また、グラフＥ３に示すように、前輪２ａへのトルク配分量が多くなるにつれて、前輪２ａへの動力伝達による機械損失に対応するエネルギー損失が増える。本実施形態では、コントローラ５０は、基本的には、これら３つのエネルギー損失Ｅ１、Ｅ２、Ｅ３の総和を求めて、このエネルギー損失の総和が最小となるようなトルク配分比を決定する。そして、コントローラ５０は、決定したトルク配分比が実現されるように、電磁カップリング５ｅに供給する印加電流を制御する。
【００３０】
なお、本発明における車両システムは、主に、動力源としてのエンジン４と、前輪２ａ及び後輪２ｂと、トルク配分機構としての電磁カップリング５ｅと、ステアリングホイール６と、制御器としてのコントローラ５０と、により構成される。
【００３１】
＜制御内容＞
次に、本実施形態においてコントローラ５０が実行する制御内容について説明する。
【００３２】
まず、図４を参照して、本実施形態による制御内容の概要について説明する。図４（Ａ）は、後輪２ｂへ配分するトルクを増加させるよう電磁カップリング５ｅを制御したときに車両１に生成されるピッチングについての説明図であり、図４（Ｂ）は、後輪２ｂへ配分するトルクを減少させるよう電磁カップリング５ｅを制御したときに車両１に生成されるピッチングについての説明図である。図４（Ａ）及び（Ｂ）に示すように、車両１の車体１ａは前輪２ａ及び後輪２ｂとの間でサスペンション３により懸架されており、このサスペンション３は、後輪２ｂの中心軸２ｂ１（前輪２ａの中心軸２ａ１も同様）よりも上方に車体１ａとの取付部３ａを有する。
【００３３】
本実施形態では、図４（Ａ）に示すように、コントローラ５０は、操舵角センサ８により検出されたステアリング６の切り込み操作に基づき、電磁カップリング５ｅの締結度合いを低くする制御を行う。つまり、コントローラ５０は、車両１のターンイン時に、後輪２ｂへ配分するトルクを増加するよう電磁カップリング５ｅを制御する。
【００３４】
このように後輪２ｂへ配分するトルクが増加すると、後輪２ｂを車両前方へ推進させる力Ｆ１が、後輪２ｂからサスペンション３を介して車体１ａに伝達される。この場合、後輪２ｂの中心軸２ｂ１から車体１ａの取付部３ａに向かってサスペンション３が斜め上方に延びているので、後輪２ｂを車両前方へ推進させる力Ｆ１における上方向の成分の力Ｆ１１が車体１ａに生じる、つまり車体１ａの後部を上向きに持ち上げる力Ｆ１１が瞬間的に車体１ａに作用する。その結果、図４（Ａ）に示すようなモーメントＹ１が生じて、前傾方向のピッチングが車体１ａに生成される。このようにターンイン時に前傾方向のピッチングを車体１ａに生成させると、ドライバに応答感を与えることができる。
【００３５】
また、前傾方向のピッチングを生成する方向のモーメントＹ１により、車体１ａの前部を下向きに沈み込ませる力Ｆ１２が車体１ａに作用し、車体１ａの前部が沈み込んで前輪荷重が増大する。これにより、ステアリング６の切り込み操作に対する車両１の旋回応答性を向上させることができる。なお、上記のように後輪２ｂのトルクを増加させると、車体１ａを前傾させる瞬間的な力の他に、車体１ａを後傾させる慣性力も発生することが考えられるが、ステアリング６の切り込み操作に対する車両応答性に対しては後輪２ｂのトルク増加による瞬間的な車体１ａを前傾させる力が支配的に寄与する。
【００３６】
ここで、本実施形態では、コントローラ５０は、上述したような後輪２ｂへ配分するトルクを増加させて前傾方向のピッチングを車体１ａに生成させるための制御を（以下では適宜「第１車両姿勢制御」と呼ぶ。）、エンジン４のトルクが所定値未満で（典型的にはアクセルオフの場合）、且つステアリング６の切り込み操作が行われた場合にのみ実施する。他方で、コントローラ５０は、ステアリング６の切り込み操作が行われた場合であっても、エンジン４のトルクが所定値以上である場合には（典型的にはアクセルオンの場合）、第１車両姿勢制御を実施せずに、ステアリング６の切り込み操作に基づきエンジン４の低減トルクを設定して、エンジン４のトルクを低減トルクだけ低減する制御（以下では適宜「第２車両姿勢制御」と呼ぶ。）を行う。この第２車両姿勢制御によれば、トルクの低減により車両１に減速度が生じることで、前輪荷重が増大して、ステアリング６の切り込み操作に対する車両１の旋回応答性を向上させることができる。
【００３７】
以上のように、本実施形態では、コントローラ５０は、ステアリング６の切り込み操作時に、エンジン４のトルクが所定値未満である場合には、低減トルクに基づきエンジン４のトルクを適切に低減することができないので、電磁カップリング５ｅによって後輪２ｂへ配分するトルクを増加するための制御（第１車両姿勢制御）を行って所望の車両姿勢（前傾方向のピッチング状態）を実現する。これに対して、コントローラ５０は、ステアリング６の切り込み操作時に、エンジン４のトルクが所定値以上である場合には、エンジン４のトルクを適切に低減することができるので、第１車両姿勢制御の実行を抑制して、ステアリング６の切り込み操作に応じてトルクを低減するようにエンジン４に対する制御（第２車両姿勢制御）を行う。この場合には、コントローラ５０は、第１車両姿勢制御における電磁カップリング５ｅによるトルク配分比の変更を制限する（例えば後輪２ｂに配分するトルクの増加率に対して制限を課す）。こうするのは、第２車両姿勢制御の実行中に第１車両姿勢制御をそのまま実行すると、所望のピッチングを適切に生成できなくなるからである。
【００３８】
なお、エンジン４のトルクが所定値未満である場合に第１車両姿勢制御により後輪２ｂのトルクを増加できる理由、つまりエンジン４がほとんどトルクを発生していないにも関わらずに後輪２ｂのトルクを増加できる理由は、以下の通りである。電磁カップリング５ｅは、エンジン４のトルクが所定値未満である場合に（典型的にはアクセルオフの場合）、前輪側にトルクを伝達する出力軸の回転数が、後輪側からトルクが伝達される入力軸の回転数よりも低くなるようになっている。換言すると、各構成要素のギヤ比の設定により、電磁カップリング５ｅの出力側（前輪側）にある駆動伝達シャフト５ｆの入力軸の回転数が、電磁カップリング５ｅの入力側（後輪側）にあるプロペラシャフト５ｂやトランスファー５ｄの回転数よりも低くなっている。このような状況において、上述したようにステアリング６の切り込み操作に応じて電磁カップリング５ｅの締結度合い（締結トルク）を低くすると、電磁カップリング５ｅの出力軸の回転数が減少することで、具体的には電磁カップリング５ｅの出力軸の回転速度が減速する分だけ電磁カップリング５ｅの入力軸の回転速度が増速することで、後輪２ｂに付与されるトルクが瞬間的に増加するのである。
【００３９】
更に、本実施形態では、図４（Ｂ）に示すように、コントローラ５０は、操舵角センサ８により検出されたステアリング６の切り戻し操作に基づき、電磁カップリング５ｅの締結度合いを高くする制御を行う。つまり、コントローラ５０は、車両１のターンアウト時に、後輪２ｂへ配分するトルクを減少するよう電磁カップリング５ｅを制御する。
【００４０】
このように後輪２ｂへ配分するトルクが減少すると、後輪２ｂを車両後方へ引っ張る力Ｆ２が、後輪２ｂからサスペンション３を介して車体１ａに伝達される。この場合、車体１ａの取付部３ａから後輪２ｂの中心軸２ｂ１に向かってサスペンション３が斜め下方に延びているので、後輪２ｂを車両後方へ引っ張る力Ｆ２における下方向の成分の力Ｆ２１が車体１ａに生じる、つまり車体１ａの後部を下向きに沈み込ませる力Ｆ２１が瞬間的に車体１ａに作用する。その結果、図４（Ｂ）に示すようなモーメントＹ２が生じて、後傾方向のピッチングが車体１ａに生成される。このようにターンアウト時に後傾方向のピッチングを車体１ａに生成させると、ドライバに安定感を与えることができる。
【００４１】
また、後傾方向のピッチングを生成する方向のモーメントＹ２により、車体１ａの前部を上向きに持ち上げる力Ｆ２２が車体１ａに作用し、車体１ａの前部が浮き上がって前輪荷重が減少する。これにより、ステアリング６の切り戻し操作に対する車両応答性、つまり旋回からの復帰性能（車両１の直進方向への復帰性能）を向上させることができる。以下では、このようにステアリング６の切り戻し操作時に後輪２ｂへ配分するトルクを減少させて後傾方向のピッチングを車体１ａに生成させるための制御を、適宜「第３車両姿勢制御」と呼ぶ。なお、上記のように後輪２ｂのトルクを減少させると、車体１ａを後傾させる瞬間的な力の他に、車体１ａを前傾させる慣性力も発生することが考えられるが、ステアリング６の切り戻し操作に対する車両応答性に対しては後輪２ｂのトルク減少による瞬間的な車体１ａを後傾させる力が支配的に寄与する。
【００４２】
更に、本実施形態では、コントローラ５０は、ステアリング６の切り戻し操作時において、ステアリング６の操舵に応じて車両１に発生させるべき目標ヨーレートと車両１に実際に発生している実ヨーレートとの差の変化速度が所定値以上である場合には、上記の第３車両姿勢制御よりも電磁カップリング５ｅの締結度合いを高くする制御を行う。すなわち、コントローラ５０は、ステアリング６の切り戻し操作時において、目標ヨーレートと実ヨーレートとの差の変化速度が所定値未満である場合には第３車両姿勢制御を行い、一方、目標ヨーレートと実ヨーレートとの差の変化速度が所定値以上である場合には、第３車両姿勢制御よりも後輪２ｂへ配分するトルクを大きく減少するよう電磁カップリング５ｅを制御する（以下では適宜「第４車両姿勢制御」と呼ぶ）。この第４車両姿勢制御によれば、ステアリング６の切り戻し操作時において、例えばアクセルペダルが踏み込まれた場合に、後輪２ｂのトルクを的確に減少させることで、後輪２ｂがスリップすることを抑制できる。その結果、ステアリング６の切り戻し操作時に車両１がオーバーステア傾向になることを未然に抑制できる。
【００４３】
更に、本実施形態では、コントローラ５０は、ステアリング６の切り戻し操作時に、上述した後輪２ｂへ配分するトルクを減少させる制御（第３又は第４車両姿勢制御）に加えて、車両１に発生しているヨーレートとは逆回りのヨーモーメントを車両１に付加するように、旋回外輪に制動力を付与するようにブレーキ装置２０ａに対する制御（以下では適宜「第５車両姿勢制御」と呼ぶ。）を行う。これにより、旋回からの復帰性能をより効果的に向上させることができる。加えて、本実施形態では、コントローラ５０は、旋回中において車両１が横滑りした場合に、横滑り防止制御を行う。具体的には、コントローラ５０は、車両１の横滑りが発生した場合に、第５車両姿勢制御よりもかなり大きなヨーモーメントを車両１に付加するようにブレーキ装置２０ａにより制動力を付与する制御（以下では適宜「第６車両姿勢制御」と呼ぶ。この第６車両姿勢制御は、いわゆる横滑り防止制御である。）を行う。これにより、車両１の横滑りを確実に防止することができる。
【００４４】
次に、図５乃至図１２を参照して、本実施形態においてコントローラ５０が実行する制御内容について具体的に説明する。図５は、本発明の実施形態による全体制御を示すフローチャートである。図６は、図５の全体制御において実行される、本発明の実施形態による低減トルク設定処理を示すフローチャートであり、図７は、図６の低減トルク設定処理で用いられる、本発明の実施形態による付加減速度と操舵速度との関係を示すマップである。図８は、図５の全体制御において実行される、本発明の実施形態による目標ヨーモーメント設定処理を示すフローチャートである。図９は、図５の全体制御において実行される、本発明の実施形態によるトルク配分設定処理を示すフローチャートであり、図１０は、図９のトルク配分設定処理で用いられる、本発明の実施形態による目標ヨーレート及び目標横加速度を設定するためのマップであり、図１１は、図９のトルク配分設定処理で用いられる、本発明の実施形態による第１ゲイン及び第２ゲインを設定するためのマップである。図１２は、図５の全体制御において実行される、本発明の実施形態による横滑り防止制御処理を示すフローチャートである。
【００４５】
図５の制御処理は、車両１のイグニッションがオンにされ、コントローラ５０に電源が投入された場合に起動され、所定周期（例えば５０ｍｓ）で繰り返し実行される。この制御処理が開始されると、ステップＳ１１において、コントローラ５０は、コントローラ５０は、車両１の運転状態に関する各種センサ情報を取得する。具体的には、コントローラ５０は、操舵角センサ８が検出した操舵角、アクセル開度センサ１０が検出したアクセル開度、車速センサ１２が検出した車速、ヨーレートセンサ１３が検出したヨーレート、加速度センサ１４が検出した加速度、ブレーキ踏込量センサ１５が検出したブレーキペダルの踏込量、エンジン回転数、車両１のトランスミッション５ａに現在設定されているギヤ段等を含む、上述した各種センサが出力した検出信号を運転状態に関する情報として取得する。
【００４６】
次いで、ステップＳ１２において、コントローラ５０は、図６に示すような、ステアリング操作に基づき車両１に減速度を付加するためのトルク（低減トルク）を設定する低減トルク設定処理を実行する。このステップＳ１２においては、コントローラ５０は、操舵装置７の操舵角の増加に応じて、つまりステアリング６の切り込み操作に応じて、エンジン４のトルクを低減させるための低減トルクを設定する。本実施形態では、コントローラ５０は、ステアリング６が切り込み操作されたときに、トルクを一時的に低減させて車両１に減速度を付加することにより、車両姿勢を制御するようにする（第２車両姿勢制御）。
【００４７】
図６に示すように、低減トルク設定処理が開始されると、ステップＳ２１において、コントローラ５０は、操舵装置７の操舵角（絶対値）が増加しているか否か、つまりステアリング６が切り込み操作されているか否かを判定する。その結果、操舵角が増加していると判定された場合（ステップＳ２１：Ｙｅｓ）、コントローラ５０は、ステップＳ２２に進み、操舵速度が所定の閾値Ｓ1以上であるか否かを判定する。この場合、コントローラ５０は、図５のステップＳ１１において操舵角センサ８から取得した操舵角に基づき操舵速度を算出し、その値が閾値Ｓ1以上であるか否かを判定する。
【００４８】
ステップＳ２２の結果、操舵速度が閾値Ｓ1以上であると判定された場合（ステップＳ２２：Ｙｅｓ）、ステップＳ２３に進み、コントローラ５０は、操舵速度に基づき付加減速度を設定する。この付加減速度は、ドライバの意図に沿って車両姿勢を制御するために、ステアリング操作に応じて車両１に付加すべき減速度である。
【００４９】
具体的には、コントローラ５０は、図７のマップに示す付加減速度と操舵速度との関係に基づき、ステップＳ２２において算出した操舵速度に対応する付加減速度を設定する。図７における横軸は操舵速度を示し、縦軸は付加減速度を示す。図７に示すように、操舵速度が閾値Ｓ1以下である場合、対応する付加減速度は０である。即ち、操舵速度が閾値Ｓ1以下である場合、コントローラ５０は、ステアリング操作に基づき車両１に減速度を付加するための制御を実行しない。
【００５０】
一方、操舵速度が閾値Ｓ1を超えている場合には、操舵速度が増大するに従って、この操舵速度に対応する付加減速度は、所定の上限値Ｄmaxに漸近する。即ち、操舵速度が増大するほど付加減速度は増大し、且つ、その増大量の増加割合は小さくなる。この上限値Ｄmaxは、ステアリング操作に応じて車両１に減速度を付加しても、制御介入があったとドライバが感じない程度の減速度に設定される（例えば０．５ｍ／ｓ2≒０．０５Ｇ）。さらに、操舵速度が閾値Ｓ1よりも大きい閾値Ｓ2以上の場合には、付加減速度は上限値Ｄmaxに維持される。
【００５１】
次いで、ステップＳ２４において、コントローラ５０は、ステップＳ２３で設定した付加減速度に基づき、低減トルクを設定する。具体的には、コントローラ５０は、エンジン４のトルクの増加により付加減速度を実現するために必要となる低減トルクを、図５のステップＳ１１において取得された現在の車速、ギヤ段、路面勾配等に基づき決定する。ステップＳ２４の後、コントローラ５０は低減トルク設定処理を終了し、図５のメインルーチンに戻る。
【００５２】
他方で、ステップＳ２１において操舵角が増加していないと判定された場合（ステップＳ２１：Ｎｏ）、又は、ステップＳ２２において操舵速度が閾値Ｓ1未満であると判定された場合（ステップＳ２２：Ｎｏ）、コントローラ５０は、低減トルクの設定を行うことなく低減トルク設定処理を終了し、図５のメインルーチンに戻る。この場合、低減トルクは０となる。
【００５３】
図５に戻ると、コントローラ５０は、上記の低減トルク設定処理（ステップＳ１２）の後、ステップＳ１３に進み、図８の目標ヨーモーメント設定処理を実行し、第５車両姿勢制御において車両１に付加すべき目標ヨーモーメントを設定する。
【００５４】
図８に示すように、目標ヨーモーメント設定処理が開始されると、ステップＳ３１において、コントローラ５０は、図５のステップＳ１１において取得した操舵角及び車速に基づき目標ヨーレート及び目標横ジャークを算出する。１つの例では、コントローラ５０は、車速に応じた係数を操舵角に乗ずることにより目標ヨーレートを算出する。他の例では、コントローラ５０は、後述する図１０のマップに基づき、現在の操舵角及び車速に対応する目標ヨーレートを決定する。また、コントローラ５０は、操舵速度及び車速に基づき目標横ジャークを算出する。
【００５５】
次いで、ステップＳ３２において、コントローラ５０は、図５のステップＳ１１において取得したヨーレートセンサ１３が検出したヨーレート（実ヨーレート）とステップＳ３１で算出した目標ヨーレートとの差（ヨーレート差）Δγを算出する。
【００５６】
次いで、ステップＳ３３において、コントローラ５０は、ステアリング６の切り戻し操作中（即ち操舵角が減少中）であり、且つ、ヨーレート差Δγを時間微分することで得られるヨーレート差の変化速度Δγ′（ヨーレート差関連値に相当する）が所定の閾値Ｙ1（第２所定値に相当する）以上であるか否かを判定する。その結果、切り戻し操作中且つヨーレート差の変化速度Δγ′が閾値Ｙ1以上である場合、ステップＳ３４に進み、コントローラ５０は、ヨーレート差の変化速度Δγ′に基づき、車両１の実ヨーレートとは逆回りのヨーモーメントを第１の目標ヨーモーメントとして設定する。具体的には、コントローラ５０は、所定の係数をヨーレート差の変化速度Δγ′に乗ずることにより、第１の目標ヨーモーメントの大きさを算出する。
【００５７】
一方、ステップＳ３３において、ステアリングホイール６の切り戻し操作中ではない（即ち操舵角が一定又は増大中である）か、又はヨーレート差の変化速度Δγ′が所定の閾値Ｙ1未満である場合、ステップＳ３５に進み、コントローラ５０は、ヨーレート差の変化速度Δγ′が実ヨーレートが目標ヨーレートより大きくなる方向（即ち車両１の挙動がオーバーステアとなる方向）であり且つヨーレート差の変化速度Δγ′が閾値Ｙ1以上であるか否かを判定する。具体的には、コントローラ５０は、目標ヨーレートが実ヨーレート以上の状況の下でヨーレート差が減少している場合や、目標ヨーレートが実ヨーレート未満の状況の下でヨーレート差が増大している場合に、ヨーレート差の変化速度Δγ′は実ヨーレートが目標ヨーレートより大きくなる方向であると判定する。
【００５８】
その結果、ヨーレート差の変化速度Δγ′が実ヨーレートが目標ヨーレートより大きくなる方向であり且つヨーレート差の変化速度Δγ′が閾値Ｙ1以上である場合、ステップＳ３４に進み、コントローラ５０は、ヨーレート差の変化速度Δγ′に基づき、車両１の実ヨーレートとは逆回りのヨーモーメントを第１の目標ヨーモーメントとして設定する。
【００５９】
ステップＳ３４の後、又は、ステップＳ３５においてヨーレート差の変化速度Δγ′が実ヨーレートが目標ヨーレートより大きくなる方向ではないかヨーレート差の変化速度Δγ′が閾値Ｙ1未満である場合、ステップＳ３６に進み、コントローラ５０は、ステアリング６の切り戻し操作中（即ち操舵角が減少中）であり、且つ、操舵速度が所定の閾値Ｓ3以上であるか否かを判定する。
【００６０】
その結果、切り戻し中且つ操舵速度が閾値Ｓ3以上である場合、ステップＳ３７に進み、コントローラ５０は、ステップＳ３１で算出した目標横ジャークに基づき、車両１の実ヨーレートとは逆回りのヨーモーメントを第２の目標ヨーモーメントとして設定する。具体的には、コントローラ５０は、所定の係数を目標横ジャークに乗ずることにより、第２の目標ヨーモーメントの大きさを算出する。
【００６１】
ステップＳ３７の後、又は、ステップＳ３６においてステアリングホイール６の切り戻し操作中ではない（即ち操舵角が一定又は増大中である）か操舵速度が閾値Ｓ3未満である場合、ステップＳ３８に進み、コントローラ５０は、ステップＳ３４で設定した第１の目標ヨーモーメントとステップＳ３７で設定した第２の目標ヨーモーメントとの内、大きい方をヨーモーメント指令値に設定する。ステップＳ３８の後、コントローラ５０は、目標ヨーモーメント設定処理を終了し、図５のメインルーチンに戻る。
【００６２】
図５に戻ると、コントローラ５０は、上記の目標ヨーモーメント設定処理（ステップＳ１３）の後、ステップＳ１４に進み、図９のトルク配分設定処理を実行し、電磁カップリング５ｅの制御により実現すべき、前輪２ａと後輪２ｂとのトルク配分比を設定する。特に、コントローラ５０は、電磁カップリング５ｅの制御により前輪２ａに対して最終的に配分すべきトルク（以下では「最終配分トルク」と呼ぶ。）を設定する。
【００６３】
図９に示すように、トルク配分設定処理が開始されると、ステップＳ４１において、コントローラ５０は、図５のステップＳ１１において取得した車速、アクセル開度及びブレーキペダルの踏込量などに基づき目標加減速度を設定する。１つの例では、コントローラ５０は、種々の車速及び種々のギヤ段について規定された加減速度特性マップ（予め作成されてメモリなどに記憶されている）の中から、現在の車速及びギヤ段に対応する加減速度特性マップを選択し、選択した加減速度特性マップを参照して現在のアクセル開度及びブレーキペダルの踏込量などに対応する目標加減速度を設定する。
【００６４】
次いで、ステップＳ４２において、コントローラ５０は、ステップＳ４１において設定した目標加減速度を実現するためにエンジン４が発生すべき目標トルクを決定する。この場合、コントローラ５０は、現在の車速、ギヤ段、路面勾配、路面μなどに基づき、エンジン４が出力可能なトルクの範囲内で、目標トルクを決定する。
【００６５】
次いで、ステップＳ４３において、コントローラ５０は、前輪２ａと後輪２ｂの接地荷重比と、ステップＳ４２において設定した目標トルクに基づき、前輪２ａに配分可能な最大のトルク（最大配分トルク）を設定する。具体的には、コントローラ５０は、前輪２ａと後輪２ｂの接地荷重比に応じて目標トルクを前輪２ａと後輪２ｂに配分し、こうして前輪２ａに配分されたトルクを最大配分トルクとして設定する。なお、１つの例では、コントローラ５０は、車両１の停車時の接地荷重比を基準として用いて、車両１に現在発生する加減速度の大きさなどに基づき、車両１の現在の接地荷重比を算出する。
【００６６】
次いで、ステップＳ４４において、コントローラ５０は、図１０（Ａ）〜（Ｆ）のマップを参照して、図５のステップＳ１１において取得した現在の操舵角及び車速に対応する目標ヨーレート及び目標横加速度（目標横Ｇ）を設定する。図１０（Ａ）〜（Ｆ）のマップは、それぞれ、異なる操舵角θ、２θ、３θ、４θ、５θ、６θ（θ＜２θ＜３θ＜４θ＜５θ＜６θ）について、車速（横軸）に応じて設定すべき目標ヨーレート（縦軸）及び目標横加速度（縦軸）が規定されている。目標ヨーレートは破線で示し、目標横加速度は実線で示している。図１０（Ａ）〜（Ｆ）に示すように、目標ヨーレートについては、車速が所定値未満の領域では、車速が高くなると目標ヨーレートが大きくなり、車速が当該所定値以上の領域では、車速が高くなると目標ヨーレートが小さくなるという傾向があり、また、目標横加速度については、車速が高くなるほど目標横加速度が大きくなり、且つ、その増大量の増加割合が小さくなるという傾向がある。更に、目標ヨーレート及び目標横加速度の両方とも、基本的には、操舵角が大きくなるほど（θ→２θ→３θ…→６θ）、目標ヨーレート及び目標横加速度がより大きくなるという傾向がある。なお、図１０（Ａ）〜（Ｆ）において、点Ｐは、目標ヨーレートと目標横加速度との大小関係が入れ替わる車速に対応する。また、図１０（Ａ）〜（Ｆ）では、６つの操舵角に対応するマップを示したが、実際には６よりも多い操舵角に対応するマップが用意されている。
【００６７】
次いで、ステップＳ４５において、コントローラ５０は、図１１（Ａ）のマップを参照して、ステップＳ４４において設定した目標ヨーレートに対応する第１ゲインを設定する。この第１ゲインは、第１又は第３車両姿勢制御において、所望のピッチングを車体１ａに生成させるべく、電磁カップリング５ｅにより前輪２ａへ配分するトルクを増加又は減少させるために適用される値である。図１１（Ａ）に示すように、目標ヨーレート（横軸）が大きくなるほど、第１ゲイン（縦軸）が小さくなるようにマップが規定されている。具体的には、このマップは、目標ヨーレートと第１ゲインとの関係が非線形になっており、目標ヨーレートが増大するに従って、第１ゲインが所定の下限値に設定されるか又は当該下限値に漸近するよう規定されている。このマップによれば、目標ヨーレートが増大するほど第１ゲインは減少し、且つ、その減少量の変化割合は小さくなる。
【００６８】
次いで、ステップＳ４６において、コントローラ５０は、図１１（Ｂ）のマップを参照して、ステップＳ４４において設定した目標横加速度に対応する第２ゲインを設定する。この第２ゲインも、第１又は第３車両姿勢制御において、所望のピッチングを車体１ａに生成させるべく、電磁カップリング５ｅにより前輪２ａへ配分するトルクを増加又は減少させるために適用される値である。図１１（Ｂ）に示すように、目標横加速度（横軸）が大きくなるほど、第２ゲイン（縦軸）が小さくなるようにマップが規定されている。具体的には、このマップは、目標横加速度が所定値未満の領域では、目標横加速度と第２ゲインとの関係がほぼ線形になっており、目標横加速度が所定値以上の領域では、目標横加速度の大きさによらずに、第２ゲインが所定の下限値に設定されるように規定されている。
【００６９】
次いで、ステップＳ４７において、コントローラ５０は、ステアリング６の切り戻し操作中であり、且つ、図８のステップＳ３３において求められたヨーレート差の変化速度Δγ′が所定の閾値Ｙ2（第１所定値に相当する）以上であるか否かを判定する。ここでは、コントローラ５０は、本実施形態による第４車両姿勢制御を実行すべき状況であるか否か、つまり、ステアリング６の切り戻し操作中において例えばアクセルペダルが踏み込まれることで車両１がオーバーステア傾向になることが予測される状況であるか否かを判断している。この判断を適切に実現すべく、ステップＳ４７においてヨーレート差の変化速度Δγ′を判定するための閾値Ｙ2は、上述した第５車両姿勢制御に係る目標ヨーモーメント設定処理において用いられた、ヨーレート差の変化速度Δγ′を判定するための閾値Ｙ1（図８のステップＳ３３、Ｓ３５参照）よりも小さい値に設定される。換言すると、車両１のオーバーステア傾向を未然に抑制すべく、第５車両姿勢制御よりも前に第４車両姿勢制御が実行されるように、第４車両姿勢制御において適用される閾値Ｙ2が第５車両姿勢制御において適用される閾値Ｙ1よりも小さい値に設定される。
【００７０】
ステップＳ４７の結果、切り戻し操作中且つヨーレート差の変化速度Δγ′が閾値Ｙ2以上である場合（ステップＳ４７：Ｙｅｓ）、ステップＳ４８に進み、コントローラ５０は、ヨーレート差の変化速度Δγ′に基づき、前輪２ａへの最終配分トルクを設定する。具体的には、コントローラ５０は、ヨーレート差の変化速度Δγ′が大きくなるほど、後輪２ｂへ配分するトルクが小さくなるように、前輪２ａへの最終配分トルクを大きく設定する。基本的には、後輪２ｂに付与される力が摩擦円（タイヤの縦方向に加わる力（駆動力）を縦軸に規定し、タイヤの横方向に加わる力（横力）を横軸に規定した座標系において、タイヤのグリップ限界を円により表したもの）内に位置するように、つまり後輪２ｂのスリップが抑制されるように、ヨーレート差の変化速度Δγ′に応じて後輪２ｂへ配分するトルクが決められる。ヨーレート差の変化速度Δγ′が大きくなるほど、後輪２ｂに付与される力が摩擦円の外に位置する可能性が高くなるので、つまり後輪２ｂがスリップする可能性が高くなるので、後輪２ｂへ配分するトルクを小さくするのである。
【００７１】
１つの例では、コントローラ５０は、上述した観点に基づき事前に作成された、ヨーレート差の変化速度Δγ′に対して設定すべき最終配分トルクが規定されたマップに基づき、現在のΔγ′の値に対応する最終配分トルクを設定することができる。他の例では、コントローラ５０は、路面μや接地荷重などから後輪２ｂの摩擦円を求めて、後輪２ｂに付与される力が当該摩擦円内に位置するように、最終配分トルクを設定してもよい。更に他の例では、コントローラ５０は、後輪２ｂの車輪速の増加勾配などに応じて後輪２ｂのスリップを判定して、後輪２ｂのスリップが抑制されるように最終配分トルクを設定してもよい。
【００７２】
このように設定された最終配分トルクを適用することで、ステアリング６の切り戻し操作時に車両１のオーバーステア傾向を未然に抑制するための第４車両姿勢制御が実現されることとなる。なお、後述する第３車両姿勢制御においても、ステアリング６の切り戻し操作時に後輪２ｂに配分されるトルクが減少されるが、コントローラ５０は、原則、第４車両姿勢制御による後輪２ｂのトルクの減少量（絶対値）を、第３車両姿勢制御による後輪２ｂのトルクの減少量（絶対値）よりも大きくする。
【００７３】
他方で、切り戻し操作中でないか又はヨーレート差の変化速度Δγ′が閾値Ｙ2未満である場合（ステップＳ４７：Ｎｏ）、コントローラ５０は、ステップＳ４９に進む。この場合には、コントローラ５０は、ステップＳ４４において設定した目標ヨーレートが所定値以上で、且つステップＳ４４において設定した目標横加速度が所定値以上であるか否かを判定する。ここでは、コントローラ５０は、本実施形態による車両姿勢制御を実行すべき状況であるか否か、つまりステアリング６の切り込み操作又は切り戻し操作による旋回状態にあるか否かを判定している。
【００７４】
その結果、目標ヨーレートが所定値以上で且つ目標横加速度が所定値以上である場合（ステップＳ４９：Ｙｅｓ）、ステップＳ５０に進み、コントローラ５０は、ステップＳ４５において設定した第１ゲインと、ステップＳ４６において設定した第２ゲインとのうちで小さい方のゲインを、ステップＳ４３において設定した最大配分トルクに対して乗算することで、前輪２ａへの最終配分トルクを設定する。つまり、コントローラ５０は、第１ゲイン及び第２ゲインのうちで最大配分トルクをより大きく変更することが可能なゲインを採用して、最大配分トルクを変更して最終配分トルクを設定する。
【００７５】
ここで、ステアリング６の切り込み操作時には、操舵角が大きくなっていくので、設定される目標ヨーレート及び目標横加速度が大きくなって（図１０参照）、第１ゲイン及び第２ゲインが小さくなる（図１１参照）。その結果、前輪２ａの最大配分トルクに対して第１ゲイン又は第２ゲインを適用することで、前輪２ａの最終配分トルクが減少して、後輪２ｂへ配分するトルクが増加することとなる。これにより、ステアリング６の切り込み操作時に、前傾方向のピッチングを車体１ａに生成させるべく後輪２ｂへ配分するトルクを増加させる制御（第１車両姿勢制御）が実現されるのである。他方で、ステアリング６の切り戻し操作時には、操舵角が小さくなっていくので、設定される目標ヨーレート及び目標横加速度が小さくなって（図１０参照）、第１ゲイン及び第２ゲインが大きくなる（図１１参照）。その結果、前輪２ａの最大配分トルクに対して第１ゲイン又は第２ゲインを適用すると、前輪２ａの最終配分トルクが増加して、後輪２ｂへ配分するトルクが減少することとなる。これにより、ステアリング６の切り戻し操作時に、後傾方向のピッチングを車体１ａに生成させるべく後輪２ｂへ配分するトルクを減少させる制御（第３車両姿勢制御）が実現されるのである。
【００７６】
他方で、目標ヨーレートが所定値以上で且つ目標横加速度が所定値以上でない場合（ステップＳ４９：Ｎｏ）、ステップＳ５１に進む。この場合には、車両１が旋回状態にないため、本実施形態による車両姿勢制御を実行すべき状況ではないので、コントローラ５０は、ステップＳ５１において、エネルギー損失の総和が最小となる最終配分トルクを設定する。具体的には、コントローラ５０は、図３のマップを参照して、適用すべき前輪２ａと後輪２ｂとのトルク配分比を設定する。すなわち、コントローラ５０は、後輪２ｂのスリップによるエネルギー損失と、前輪２ａのスリップによるエネルギー損失と、前輪２ａへの動力伝達によるトルク伝達機構の機械損失に対応するエネルギー損失との総和を求め、このエネルギー損失の総和が最小となるようなトルク配分比を決定する。そして、コントローラ５０は、このトルク配分比に対応する最終配分トルクを設定する。
【００７７】
このようなステップＳ４８、Ｓ５０又はＳ５１の後、コントローラ５０は、トルク配分設定処理を終了し、図５のメインルーチンに戻る。
【００７８】
図５に戻ると、コントローラ５０は、上記のトルク配分設定処理（ステップＳ１４）の後、ステップＳ１５に進み、図１２の横滑り防止制御処理を実行し、第６車両姿勢制御（横滑り防止制御）において車両１に付加すべき目標ヨーモーメントを設定する。
【００７９】
図１２に示すように、横滑り防止制御処理が開始されると、ステップＳ６１において、コントローラ５０は、図８のステップＳ３２において求められたヨーレート差Δγが所定の閾値Ｙ3（第３所定値に相当する）以上であるか否かを判定する。ここでは、コントローラ５０は、本実施形態による第６車両姿勢制御を実行すべき状況であるか否か、つまり車両１の横滑りが発生している状況であるか否かを判断している。この判断を適切に実現すべく、ヨーレート差Δγを判定するための閾値Ｙ3には、比較的大きなヨーレート差に対応する値が適用される。
【００８０】
ステップＳ６１の結果、ヨーレート差Δγが閾値Ｙ3以上である場合（ステップＳ６１：Ｙｅｓ）、コントローラ５０は、ヨーレート差Δγに基づき、車両１の実ヨーレートとは逆回りのヨーモーメントを第３の目標ヨーモーメントとして設定する。具体的には、コントローラ５０は、ヨーレート差Δγが大きくなるほど、第３の目標ヨーモーメントを大きく設定する。例えば、コントローラ５０は、車両１の横滑りを抑制すべく事前に作成された、ヨーレート差Δγに対して設定すべき第３の目標ヨーモーメントが規定されたマップに基づき、現在のΔγの値に対応する第３の目標ヨーモーメントを設定する。また、コントローラ５０は、原則、上述した図８の目標ヨーモーメント設定処理において設定される第１及び第２の目標ヨーモーメントよりも大きい値を、第３の目標ヨーモーメントとして設定する。そして、コントローラ５０は、このように第３の目標ヨーモーメントを設定した場合には、図８の目標ヨーモーメント設定処理により第１又は第２の目標ヨーモーメントが設定されたとしても、これらの目標ヨーモーメントの代わりに、第３の目標ヨーモーメントを適用するようにする。これにより、車両１の横滑りを抑制するための第６車両姿勢制御が確実に実行されることとなる。この後、コントローラ５０は、横滑り防止制御処理を終了し、図５のメインルーチンに戻る。他方で、ヨーレート差Δγが閾値Ｙ3未満である場合（ステップＳ６１：Ｎｏ）、コントローラ５０は、第３の目標ヨーモーメントの設定を行うことなく横滑り防止制御処理を終了し、図５のメインルーチンに戻る。
【００８１】
なお、図１２では、第６車両姿勢制御の実行可否をヨーレート差Δγにより判定しているが、他の例では、このヨーレート差Δγの代わりに、図８の第５車両姿勢制御や図９の第４車両姿勢制御と同様に、ヨーレート差の変化速度Δγ′を用いて第６車両姿勢制御の実行可否を判定してもよい。この他の例のように、第６車両姿勢制御の実行可否をヨーレート差の変化速度Δγ′により判定する場合には、Δγ′を判定するための閾値として、第５車両姿勢制御において適用した閾値Ｙ1（図８のステップＳ３３、Ｓ３５参照）及び第４車両姿勢制御において適用した閾値Ｙ2（図９のステップＳ４７参照）よりも大きい値を適用するのがよい。更に他の例では、第６車両姿勢制御の実行可否についてはヨーレート差Δγを用いて判定することとし、第４及び第５車両姿勢制御の実行可否を、ヨーレート差の変化速度Δγ′の代わりにヨーレート差Δγを用いて判定してもよい。この他の例では、第５車両姿勢制御においてヨーレート差Δγを判定するための閾値を、第４車両姿勢制御においてヨーレート差Δγを判定するための閾値よりも大きくし、且つ、第６車両姿勢制御においてヨーレート差Δγを判定するための閾値（上記の閾値Ｙ3）よりも小さくすればよい。
【００８２】
図５に戻ると、コントローラ５０は、上記の横滑り防止制御処理（ステップＳ１５）の後、ステップＳ１６に進み、現在のエンジン４のトルク（実トルク）が所定値以上で、且つ低減トルクが有るか否か（つまり図６の低減トルク設定処理（ステップＳ１２）において低減トルクが設定されたか否か）を判定している。エンジン４のトルクの判定において適用する所定値には、低減トルクに対応する値（例えば想定される低減トルクの最大値に基づく値）が用いられる。こうすると、エンジン４のトルクが所定値以上であるか否かを判定することにより、エンジン４が低減トルクを実現可能な状態であるか否か、つまり低減トルクに基づきエンジン４のトルクを適切に低減できる状態であるか否かを判断できる。典型的には、アクセルオフの場合には、エンジン４のトルクが所定値未満となり、低減トルクに基づきエンジン４のトルクを適切に低減することができない。
【００８３】
ステップＳ１６の結果、エンジン４のトルクが所定値以上で且つ低減トルクが有る場合（ステップＳ１６：Ｙｅｓ）、コントローラ５０は、ステップＳ１７に進む。この場合には、低減トルクが設定されており、エンジン４がこの低減トルクを実現可能な状態にあるので、コントローラ５０は、ステアリング６の切り込み操作に応じてエンジン４のトルクを低減トルクだけ低減する制御（第２車両姿勢制御）を実施するようにする一方で、電磁カップリング５ｅによるトルク配分比の変更を制限する（ステップＳ１７）。すなわち、コントローラ５０は、図９のトルク配分設定処理（ステップＳ１４）により設定された最終配分トルクを実現するためのトルク配分比の変更を制限する。１つの例では、コントローラ５０は、トルク配分比の変化速度が所定の制限速度未満となるように、典型的にはトルク配分比が一定の制限速度にて変化するように、電磁カップリング５ｅを制御する。他の例では、コントローラ５０は、トルク配分比を一定に維持すべく、電磁カップリング５ｅによるトルク配分比の変更を禁止する。このようなステップＳ１７の後、コントローラ５０は、ステップＳ１８に進む。
【００８４】
他方で、エンジン４のトルクが所定値未満である場合、又は低減トルクが無い場合（ステップＳ１６：Ｎｏ）、コントローラ５０は、上記のステップＳ１７の制御を行わずに、ステップＳ１８に進む。こうしてステップＳ１８に進む状況は、アクセルオフなどによりエンジン４のトルクが所定値未満である場合に加えて、車両１がほぼ直進走行している場合、車両１がステアリング６の切り込み操作後で切り戻し操作前に定常旋回を行っている場合、及び、車両１がステアリング６の切り戻し操作による旋回からの復帰動作を行っている場合などの、低減トルクが設定されない場合に該当する。このような場合には、コントローラ５０は、図９のトルク配分設定処理（ステップＳ１４）により設定された最終配分トルクに基づき制御を行うこととなる（図８の目標ヨーモーメント設定処理（ステップＳ１３）又は図１２の横滑り防止制御処理（ステップＳ１５）により設定された目標ヨーモーメントも含む）。これにより、エンジン４のトルクが所定値未満であるときに、ステアリング６の切り込み操作に応じて低減トルクが設定された場合には、第２車両姿勢制御の代わりに、第１車両姿勢制御が行われることとなり、また、ステアリング６の切り戻し操作が行われた場合には、第３車両姿勢制御が行われることとなる（この場合には第５車両姿勢制御も行われる）。
【００８５】
次いで、コントローラ５０は、ステップＳ１８において、上述した処理結果に応じて各アクチュエータ制御量を設定し、ステップＳ１９において、設定した制御量に基づき各アクチュエータへ制御指令を出力する。具体的には、コントローラ５０は、図６の低減トルク設定処理により設定された低減トルクに基づき制御（第２車両姿勢制御）を行う場合には、エンジン４へ制御指令を出力する。例えば、コントローラ５０は、点火プラグ４ｃの点火時期を、低減トルクを適用しない元のトルクを発生させるための点火時期よりも遅角させる（リタードする）。また、点火時期の遅角に代えて、あるいはそれと共に、コントローラ５０は、スロットルバルブ４ａのスロットル開度を小さくしたり、下死点後に設定されている吸気バルブの閉時期を遅角させるよう可変動弁機構４ｄを制御したりすることによって、吸入空気量を減少させる。この場合、コントローラ５０は、所定の空燃比が維持されるように、吸入空気量の減少に対応して、インジェクタ４ｂによる燃料噴射量を減少させる。なお、エンジン４がディーゼルエンジンである場合、コントローラ５０は、インジェクタ４ｂによる燃料噴射量を、低減トルクを適用しない元のトルクを発生させるための燃料噴射量よりも減少させる。
【００８６】
また、コントローラ５０は、図９のトルク配分設定処理により設定された最終配分トルクに基づき制御を行う場合には、電磁カップリング５ｅへ制御指令を出力する。具体的には、コントローラ５０は、設定された最終配分トルクを前輪２ａに付与すべく、この最終配分トルクに対応する締結度合い（締結トルク）に設定されるように電磁カップリング５ｅを制御する。この場合、コントローラ５０は、前輪２ａの最終配分トルクに応じた印加電流を、電磁カップリング５ｅに供給する。なお、コントローラ５０は、図５のステップＳ１７の処理が行われた場合には、トルク配分比の変更を制限するように電磁カップリング５ｅを制御する。
【００８７】
また、コントローラ５０は、図８の目標ヨーモーメント設定処理又は図１２の横滑り防止制御処理により設定された目標ヨーモーメントに基づき制御を行う場合には、この目標ヨーモーメントがブレーキ装置２０ａにより車両１に付加されるように、ブレーキ制御システム２０へ制御指令を出力する。ブレーキ制御システム２０は、ヨーモーメント指令値と液圧ポンプ２０ｂの回転数との関係を規定したマップを予め記憶しており、このマップを参照することにより、設定された目標ヨーモーメント（ヨーモーメント指令値）に対応する回転数で液圧ポンプ２０ｂを作動させる（例えば、液圧ポンプ２０ｂへの供給電力を上昇させることにより、制動力指令値に対応する回転数まで液圧ポンプ２０ｂの回転数を上昇させる）。加えて、ブレーキ制御システム２０は、例えば、ヨーモーメント指令値とバルブユニット２０ｃの開度との関係を規定したマップを予め記憶しており、このマップを参照することにより、ヨーモーメント指令値に対応する開度となるようにバルブユニット２０ｃを個々に制御し（例えば、ソレノイド弁への供給電力を上昇させることにより、制動力指令値に対応する開度までソレノイド弁の開度を増大させる）、各車輪の制動力を調整する。
【００８８】
＜作用及び効果＞
次に、本発明の実施形態による車両システムによる作用及び効果について説明する。
【００８９】
図１３は、車両１がターンイン、定常旋回及びターンアウトを順に行っているときに本発明の実施形態による車両姿勢制御を実行した場合の各種パラメータの時間変化を示したタイムチャートの一例である。図１３のタイムチャートは、上から順に、アクセルペダルのアクセル開度、ステアリング６の操舵角、ステアリング６の操舵速度、図６の低減トルク設定処理（図５のステップＳ１２）で設定されたエンジン４の低減トルク、エンジン４に最終的に適用する最終目標トルク、図８の目標ヨーモーメント設定処理（図５のステップＳ１３）で設定された目標ヨーモーメント、電磁カップリング５ｅの締結トルク（締結度合い）、車両１のピッチング挙動、車両１の実ヨーレートを示している。なお、図１３で例示する最終目標トルクは、目標加減速度から設定される目標トルク（図９のステップＳ４２）に対して低減トルクを適用したトルクであり、低減トルクが設定されていない場合には当該目標トルクがそのまま最終目標トルクとなる。また、ここでは、横滑り防止制御処理（図５のステップＳ１５）により目標ヨーモーメントが設定されなかったものとする。
【００９０】
まず、ステアリング６の切り込み操作が行われたときに、つまり車両１のターンイン時に、操舵角及び操舵速度が増加する。その結果、時刻ｔ１１において、操舵速度が閾値Ｓ1以上となり（図６のステップＳ２２：Ｙｅｓ）、操舵速度に応じた付加減速度に基づき低減トルクが設定される（図６のステップＳ２３、Ｓ２４）。図１３に示す例では、低減トルクが設定された状況において、アクセルがオフとなっておりエンジン４のトルクが所定値未満であるため（図５のステップＳ１５：Ｎｏ）、つまりエンジン４が低減トルクを実現可能な状態でないため、目標トルクから低減トルクが低減された最終目標トルクは設定されない（具体的にはアクセルオフのため最終目標トルクはほぼ０になる）。すなわち、低減トルクは設定されるが、この低減トルクを用いた第２車両姿勢制御は実行されない。
【００９１】
上記の理由により第２車両姿勢制御が実行されない代わりに、時刻ｔ１１から時刻ｔ１２までの間、図９のトルク配分設定処理に応じて、電磁カップリング５ｅの締結トルクが減少される。すなわち、操舵角の増加に応じて、設定される目標ヨーレート及び目標横加速度が大きくなって（図９のステップＳ４４及び図１０参照）、設定される第１ゲイン及び第２ゲインが小さくなり（図９のステップＳ４５、Ｓ４６及び図１１参照）、その結果、第１ゲイン又は第２ゲインが適用された前輪２ａの最終配分トルクが減少することで（図９のステップＳ５０）、電磁カップリング５ｅの締結トルクが減少されるのである。電磁カップリング５ｅの締結トルクが減少すると後輪２ｂへ配分されるトルクが増加するので、時刻ｔ１１から時刻ｔ１２までの間、ステアリング６の切り込み操作に応じて後輪２ｂのトルクを増加させる第１車両姿勢制御が実行されることとなる。このような第１車両姿勢制御により、前傾方向のピッチングが車体１ａに生成されて、車両１のターンイン時にドライバに応答感を与えることができる。
【００９２】
この後、第１車両姿勢制御中において操舵速度が減少すると、時刻ｔ１２において、目標ヨーレートが所定値未満か又は目標横加速度が所定値未満となり（図９のステップＳ４９：Ｎｏ）、第１車両姿勢制御が終了される。具体的には、電磁カップリング５ｅの締結トルクの減少が停止される。そして、時刻ｔ１２から時刻ｔ１３までの間、操舵角がほぼ一定となり、車両１が定常旋回を行う。このときには、電磁カップリング５ｅの締結トルクが一定に維持され、車両１のピッチング挙動が一定となる（安定する）。これにより、車両１の定常旋回時にドライバに接地感を与えることができる。
【００９３】
この後、ステアリング６の切り戻し操作が行われたときに、つまり車両１のターンアウト時に、操舵角及び操舵速度が減少する。その結果、時刻ｔ１３から時刻ｔ１４までの間、図９のトルク配分設定処理に応じて、電磁カップリング５ｅの締結トルクが増加される。すなわち、操舵角の減少に応じて、設定される目標ヨーレート及び目標横加速度が小さくなって（図９のステップＳ４４及び図１０参照）、設定される第１ゲイン及び第２ゲインが大きくなり（図９のステップＳ４５、Ｓ４６及び図１１参照）、その結果、第１ゲイン又は第２ゲインが適用された前輪２ａの最終配分トルクが増加することで（図９のステップＳ５０）、電磁カップリング５ｅの締結トルクが増加されるのである。電磁カップリング５ｅの締結トルクが増加すると後輪２ｂへ配分されるトルクが減少するので、時刻ｔ１３から時刻ｔ１４までの間、ステアリング６の切り戻し操作に応じて後輪２ｂのトルクを減少させる第３車両姿勢制御が実行されることとなる。このような第３車両姿勢制御により、後傾方向のピッチングが車体１ａに生成されて、車両１のターンアウト時にドライバに安定感を与えることができる。なお、図１３に示す例では、ステアリング６の切り戻し操作時にヨーレート差の変化速度Δγ′が閾値Ｙ2未満であるため（図９のステップＳ４７：Ｎｏ）、第４車両姿勢制御が実行されずに、上記のように第３車両姿勢制御が実行されたものとする。
【００９４】
他方で、上記のステアリング６の切り戻し操作時において、時刻ｔ１３から、図８の目標ヨーモーメント設定処理により目標ヨーモーメントが設定される（図８のステップＳ３４、Ｓ３７、Ｓ３８参照）。その結果、上述した第３車両姿勢制御に加えて、車両１に発生しているヨーレートとは逆回りのヨーモーメントを車両１に付加するように旋回外輪に制動力を付与する制御（第５車両姿勢制御）が実行される。これにより、旋回からの復帰性能をより効果的に向上させることができる。
【００９５】
次に、図１４は、車両１がターンイン、定常旋回及びターンアウトを順に行っているときに本発明の実施形態による車両姿勢制御を実行した場合の各種パラメータの時間変化を示したタイムチャートの別の例である。図１４のタイムチャートも、図１３と同様に、上から順に、アクセル開度、操舵角、操舵速度、低減トルク、最終目標トルク、目標ヨーモーメント、電磁カップリング５ｅの締結トルク、車両１のピッチング挙動、実ヨーレートを示している。ここでは、図１３のタイムチャートとの相違点のみを説明する（特に説明しない点は図１３と同様であるものとする）。
【００９６】
図１４に示す例では、時刻ｔ２３より、ステアリング６の切り戻し操作が行われたときに、アクセルペダルが踏み込まれた結果、実ヨーレートが急上昇する。このような実ヨーレートの上昇により、ステアリング６の切り戻し操作時におけるヨーレート差の変化速度Δγ′が閾値Ｙ2以上となるため（図９のステップＳ４７：Ｙｅｓ）、前輪２ａへの最終配分トルクが大きく設定されて（図９のステップＳ４８）、電磁カップリング５ｅの締結トルクが大きく増加される。つまり、時刻ｔ２３より、後輪２ｂのトルクを大きく減少させる第４車両姿勢制御が実行されることとなる。図１４では、ステアリング６の切り戻し操作時において、第４車両姿勢制御が実行された場合のグラフを実線で示す一方で、これとの比較のために、第４車両姿勢制御が実行されずに上述した第３車両姿勢制御が実行された場合（比較例）のグラフを破線で示している。これら実線及び破線に示すように、第４車両姿勢制御が実行された場合には、第３車両姿勢制御が実行された場合よりも、電磁カップリング５ｅの締結トルクが大きく増加され、後輪２ｂのトルクが大きく減少されることとなる。その結果、ステアリング６の切り戻し操作時においてアクセルペダルが踏み込まれたときに、第３車両姿勢制御が実行された場合には実ヨーレート（破線参照）が上昇し続けるが、第４車両姿勢制御が実行された場合には実ヨーレート（実線参照）の上昇が抑制されることとなる。つまり、第４車両姿勢制御によれば、ステアリング６の切り戻し操作時において、たとえアクセルペダルが踏み込まれたとしても、後輪２ｂのスリップによる車両１のオーバーステア傾向を適切に抑制することができる。
【００９７】
なお、第３車両姿勢制御では、実ヨーレートが上昇し続けるため、当該第３車両姿勢制御に加えて第５及び／又は第６車両姿勢制御が実行されることで、車両１に比較的大きなヨーモーメントを付加するようにブレーキ装置２０ａにより比較的大きな制動力が付与されることとなる。一方で、第４車両姿勢制御によれば、実ヨーレートの上昇が抑制されるため、そのような大きな制動力は付与されない。具体的には、第４車両姿勢制御によれば、基本的には当該第４車両姿勢制御に加えて第５車両姿勢制御が実行される傾向にあるが、この第５車両姿勢制御により付加される制動力を小さくすることができる。また、第４車両姿勢制御によれば、第６車両姿勢制御（横滑り防止制御）の実行を抑制することができる、つまり第６車両姿勢制御による大きな制動力の付加を回避することができる。すなわち、第４車両姿勢制御によれば、第３車両姿勢制御と比較して、第５及び第６車両姿勢制御の介入を適切に抑制することができる（第５車両姿勢制御については制御の介入度合を抑制でき、第６車両姿勢制御については当該制御の介入自体を抑制できる）。
【００９８】
以上説明したように、本実施形態によれば、コントローラ５０は、ステアリング６が切り戻し操作されたときにおいて、目標ヨーレートと実ヨーレートとの差（ヨーレート差）の変化速度Δγ′が閾値Ｙ2以上である場合に、後輪２ｂに配分されるトルクを減少させるように電磁カップリング５ｅを制御する（第４車両姿勢制御）。これにより、ステアリング６の切り戻し操作時において、例えばアクセルペダルが踏み込まれた場合にも、後輪２ｂのトルクを的確に減少させることで、後輪２ｂがスリップすることを抑制できる。その結果、ステアリング６の切り戻し操作時において、車両１がオーバーステア傾向になることを未然に抑制することができ、車両姿勢の安定化を実現することができる。
【００９９】
また、本実施形態によれば、コントローラ５０は、ステアリング６の切り戻し操作時において、ヨーレート差の変化速度Δγ′が閾値Ｙ1以上である場合に、上述したように電磁カップリング５ｅにより後輪２ｂに配分されるトルクを減少させる制御を行うと共に（第４車両姿勢制御）、実ヨーレートとは逆回りのヨーモーメントを車両１に付加するようにブレーキ装置２０ａを制御する（第５車両姿勢制御）。これにより、車両１がオーバーステア傾向になることを効果的に抑制できると共に、旋回からの復帰性能を効果的に向上させることができる。
【０１００】
また、本実施形態によれば、コントローラ５０は、ヨーレート差Δγが閾値Ｙ3以上である場合に、比較的大きなヨーモーメントを車両１に付加するようにブレーキ装置２０ａを制御する（第６車両姿勢制御）。すなわち、コントローラ５０は、ヨーレート差の変化速度Δγ′が閾値Ｙ2以上になって第４車両姿勢制御を行い、ヨーレート差の変化速度Δγ′が閾値Ｙ1以上になって第５車両姿勢制御を行っても、車両１の横滑りが発生している場合には、比較的大きなヨーモーメントを車両に付加する第６車両姿勢制御を行う。これにより、車両１の横滑りを確実に防止することができる。
【０１０１】
また、本実施形態によれば、コントローラ５０は、ステアリング６の切り込み操作時に、後輪２ｂのトルクを増加させるように電磁カップリング５ｅを制御して（第１車両姿勢制御）、前傾方向のピッチングを車体１ａに生成する（図４（Ａ）参照）。このような前傾方向のピッチングを車体１ａに生成させることで、ターンイン時にドライバに応答感を与えることができると共に、ステアリング６の切り込み操作に対する車両１の旋回応答性を向上させることができる。加えて、本実施形態によれば、コントローラ５０は、ステアリング６の切り戻し操作時に、後輪２ｂのトルクを減少させるように電磁カップリング５ｅを制御して（第３車両姿勢制御）、後傾方向のピッチングを車体１ａに生成する（図４（Ｂ）参照）。このような後傾方向のピッチングを車体１ａに生成させることで、ターンアウト時にドライバに安定感を与えることができると共に、ステアリング６の切り戻し操作に対する車両応答性、つまり旋回からの復帰性能（車両１の直進方向への復帰性能）を向上させることができる。
【０１０２】
また、本実施形態によれば、コントローラ５０は、ステアリング６の切り戻し操作時において、ヨーレート差の変化速度Δγ′が閾値Ｙ2以上である場合に、ヨーレート差の変化速度Δγ′が閾値Ｙ2未満である場合よりも、後輪２ｂに配分されるトルクの減少量を大きくする。つまり、コントローラ５０は、Δγ′が閾値Ｙ2未満である場合には第３車両姿勢制御を行う一方で、Δγ′が閾値Ｙ2以上である場合には、第３車両姿勢制御よりも後輪２ｂへ配分するトルクを大きく減少する第４車両姿勢制御を行う。これにより、ステアリング６の切り戻し操作時において、後輪２ｂがスリップして車両１がオーバーステア傾向になることを効果的に抑制することができる。
【０１０３】
＜変形例＞
上述した実施形態では、エンジン４を動力源として用いる車両１に本発明を適用する例を示したが、本発明は、エンジン４以外を動力源として用いる車両にも適用可能である。例えば、本発明は、モータ（電動機）を動力源として用いる車両にも適用可能である。
【０１０４】
また、上述した実施形態では、目標ヨーレートと実ヨーレートとの差に関連するヨーレート差関連値としてヨーレート差Δγ及びこのヨーレート差の変化速度Δγ′を示したが、このようにヨーレートに基づきヨーレート差関連値を規定する代わりに、ヨー加速度や横加速度や横ジャークなどに基づきヨーレート差関連値を規定してもよい。
【０１０５】
また、上述した実施形態では、エンジン４のトルクを前輪２ａと後輪２ｂとに配分するトルク配分機構として電磁カップリング５ｅを示したが、トルク配分機構として電磁カップリング５ｅを用いることに限定はされず、トルク配分機構として公知の種々の機構を適用することができる。
【符号の説明】
【０１０６】
１  車両
２ａ  前輪
２ｂ  後輪
４  エンジン
５ａ  トランスミッション
５ｂ  プロペラシャフト
５ｄ  トランスファー
５ｅ  電磁カップリング
５ｆ  駆動伝達シャフト
７  操舵装置
６  ステアリングホイール
８  操舵角センサ
１０  アクセル開度センサ
１２  車速センサ
５０  コントローラ
【図１】
2020175837.tif 000003
【図２】
2020175837.tif 000004
【図３】
2020175837.tif 000005
【図４】
2020175837.tif 000006
【図５】
2020175837.tif 000007
【図６】
2020175837.tif 000008
【図７】
2020175837.tif 000009
【図８】
2020175837.tif 000010
【図９】
2020175837.tif 000011
【図１０】
2020175837.tif 000012
【図１１】
2020175837.tif 000013
【図１２】
2020175837.tif 000014
【図１３】
2020175837.tif 000015
【図１４】
2020175837.tif 000016